(57)【要約】      （修正有）【課題】定型サイズよりも幅の狭い特殊サイズのシートからなるシート束を収納し、サイドガイドにより正しく位置決めすると共に、このシート束に対するシート供給装置の分離・給送手段による分離及び給送性能の低下を防止する。【解決手段】給紙カセット８２では、サイドガイド９４にベース部材１０２及びこのベース部材１０２の内側に連結された延長ガイド部材９８が設けられている。更に延長ガイド部材９８には、延出部１６２の内側の端部から下方へ延出して下端側が開口部１６６部内へ挿通するガイドプレート部１６４が設けられている。これにより、幅が狭い記録紙をボトムプレート８４上に載置した場合でも、一対のガイドプレート部１６４によりボトムプレート８４上に載置された記録紙をセンター位置へ位置決めできる。【選択図】図２
2005263450.tif 000002
【特許請求の範囲】
【請求項１】
１枚以上のシートからなるシート束が収納されると共に、該シート束から１枚のシートを分離して所定の給送方向へ搬送する分離・給送手段を備えたシート供給装置の本体部に着脱可能に装着される給紙カセットであって、
シート束が内部に収納可能とされたカセット本体と、
分離・給送手段に対して接離する昇降方向に沿って移動可能となるように前記カセット本体内に設けられ、該カセット本体内に収納されたシート束が載置されるボトムプレートと、
前記ボトムプレート上に載置されたシート束の両側端部の幅方向外側にそれぞれ設けられ、該シート束の側端部に接して該シート束を前記幅方向に沿って所定の幅基準位置へ位置決めすると共に、シート供給装置の分離・給送手段により搬送されるシートが幅方向に沿って変移することを制限する一対のサイドガイドとを有し、
前記ボトムプレートにおける該ボトムプレート上に載置されるシート束の両側端部にそれぞれ対応する部分に開口部を穿設し、
前記サイドガイドに、前記幅方向に沿って前記ボトムプレートの外側に配置されたベース部と、前記ベース部に前記幅方向に沿って内側へ延出するように連結されると共に、該ベース部により前記ボトムプレートの上方に支持された延出部と、前記延出部の内側の端部から下方へ延出して下端側が前記開口部内へ挿通するガイドプレート部とを設けたことを特徴とする給紙カセット。
【請求項２】
前記ボトムプレートにおける前記給送方向に沿って前記開口部から後方に離間した部位に切欠部を形成し、
前記ガイドプレート部に、前記給送方向に沿って後方へ延出すると共に、その下端側が前記切欠部内へ挿通する延出ガイド部を一体的に設けたことを特徴とする請求項１記載の給紙カセット。
【請求項３】
前記サイドガイドを前記幅方向に沿って移動可能に設けると共に、前記開口部及び前記切欠部を前記ガイドプレート部及び前記延出ガイド部の前記幅方向に沿った移動範囲よりも外側及び内側へ向って幅広に形成したことを特徴とする請求項２記載の給紙カセット。
【請求項４】
前記延出ガイド部における前記幅方向に沿った内側の面に弾性を有するシート材を貼り付けたことを特徴とする請求項２又は３記載の給紙カセット。
【請求項５】
前記カセット本体は、前記給送方向に沿って前記ボトムプレートの前方に設けられた前板部と、前記前板部の上端部に凹状となるように形成され、前記幅方向に沿って前記ボトムプレート上に載置されたシート束の両側端よりも外側まで広がった逃げ部とを備え、
前記カセット本体には、前記前板部の内側面に固定されて前記逃げ部の少なくとも一部を閉止すると共に、前記前記ボトムプレート上に載置されたシート束の先端部との対向するストッパプレートが配設されたことを特徴とする請求項１乃至４の何れか１項記載の給紙カセット。
【請求項６】
シート供給装置の分離・給送手段には、ボトムプレート上に載置されたシート束の上端側から１枚乃至複数枚のシートを前記給送方向へ送り出す送出部材と、該送出部材により複数枚のシートが送りされた場合に最上部の１枚のシートのみを他のシートから分離する分離部材とが設けられ、
前記ストッパプレートの上端部には、分離・給送手段の給送部材により前記ボトムプレート上に載置されたシート束の上端側から前記給送方向へ送り出された１枚乃至複数枚のシートを分離部材へ案内するガイド部が設けられたことを特徴とする請求項５記載の給紙カセット。
【発明の詳細な説明】
【技術分野】
【０００１】
本発明は、記録紙、ＯＨＰシート等のシートからなるシート束を収納すると共に、このシート束から１枚のシートを分離して装置外部へ自動供給するためのシート供給装置に着脱可能に装着される給紙カセットに関する。
【背景技術】
【０００２】
一般に、プリンタや複写機、ファクシミリ等の画像形成装置には、その作像部に記録紙、ＯＨＰシート等の記録媒体であるシートを自動供給するために、シート供給装置が装置本体の一部として設けられ、又はシート供給装置がオプションユニット（シート供給ユニット）として増設可能とされている。このようなシート供給装置としては、例えば、複数枚のシートが積層されたシート束を収納可能とされ、装置の本体部へ着脱可能に装着される給紙カセットと、この給紙ユニット内に収納されたシート束から１枚のシートを分離し、給紙カセット内から搬出する分離・給紙機構とを備えたものがある。このシート供給装置では、画像形成装置の作像部による画像形成の開始に同期して分離・給紙機構が給紙カセット内から１枚のシートを分離し、この１枚のシートを給紙カセット内からシート搬送経路へ搬出することにより、このシート搬送経路を通して作像部へシートを自動的に給紙し、このシートに画像を形成することが可能になっている。
【０００３】
上記のようなシート供給装置に用いられる給紙カセットには、例えば、シート束が載置可能とされると共に所定の昇降方向に沿って移動可能とされたボトムプレートと、このボトムプレートを上方へ付勢するコイルスプリング等の付勢部材と、ボトムプレート上に載置されたシート束を所定の基準位置へ位置決めするための位置決め機構とが設けられている。
【０００４】
ここで、位置決め機構には、分離・給紙機構によるシートの搬出方向に沿って移動可能に支持されたエンドフェンスと、給紙カセット内に収納されるシートの幅方向（シート幅方向）に沿ってそれぞれ移動可能に支持された一対のサイドガイドとを備えたものがあり、これらのエンドフェンス及び一対のサイドガイドを給紙カセット内に収納されるシートサイズに応じて予め位置調整しておくことにより、ボトムプレート上に載置されるシート束を基準位置に位置決めできる。またボトムプレートは、位置決め機構により基準位置に位置決めされたシート束を上方へ持ち上げ、このシート束からのシートの分離給紙時に分離・給紙機構におけるフィードロール、フィードベルト等のシート供給部材に圧接させる。
【０００５】
ところで、オフィスユース等の一般的な用途に用いられる画像形成装置では、記録媒体として要求されるシートサイズが殆ど場合、Ｂ５サイズからＡ３サイズの範囲であり、給紙カセットに収納可能なシートもＢ５サイズからＡ３サイズの範囲であることが通例である。しかし、ユーザにより特殊な用途、例えば、部品収納用のカーゴ等に添付され、部品の発注情報等を表示する伝票に印字する画像形成装置では、その用途などから要求される特殊サイズの伝票等のシートもシート供給装置により作像部へ自動的に供給したいという強い要望がある。従って、特殊サイズのシートの幅が給紙カセットのボトムプレートの幅よりも狭い場合、上記のような要望を実現するためには、例えば、給紙カセットに対して、特殊サイズのシートに適合するようにボトムプレートの幅及び形状を変更すると共に、一対のサイドガイドの幅方向に沿った移動範囲を変更する改造を行わなければならない。しかし、特殊サイズのシートを給紙可能とするために、給紙カセットに対して上記のような大規模な改造を行うと、このような給紙カセットの製造個数が極めて少ないことから、その製造コストが大幅に上昇してしまう。
【０００６】
また特許文献１には、上記のような大規模な改造を行うことなく、特殊サイズ（小サイズ）のシートに対応可能となる給紙カセットの一例が示されている。この特許文献１記載の給紙カセットでは、この給紙カセット内のボトムプレート上に載置される複数種類の標準的な用紙サイズ及び給送時の用紙の向きに応じて互いの離間間隔を調節可能とされ、ボトムプレート上に載置された用紙の両側縁部に当接することにより用紙を搬送方向に対して略平行姿勢に位置規制する一対のサイドフェンスを備え、これら一対のサイドフェンスには、それぞれ小サイズ紙用の補助位置規制部材が着脱可能とされた給紙カセットが記載されている。
【特許文献１】特開平１１−２１７１２３号公報
【発明の開示】
【発明が解決しようとする課題】
【０００７】
上記特許文献１記載の給紙カセットでは、用紙（シート）の給送方向に沿ったサイドフェンスの全長に対してブロック状に形成された補助位置規制部材の寸法が大幅に短くなっている。またボトムプレートの両端部には、それぞれ補助位置規制部材の形状に対応する矩形状の切欠部が形成されており、この切欠部によりボトムプレートは、一対の補助位置規制部材に干渉することなく昇降することが可能となっている。
【０００８】
しかしながら、特許文献１に記載された給紙カセットでは、一般的なサイズのシートに対して幅方向に沿った寸法のみが短縮されたシート、すなわち給送方向へ細長いシートを分離給紙する際に、補助位置規制部材の給送方向に沿った寸法がサイドフェンスよりも大幅に短いことから、分離給紙されるシートに対する補助位置規制部材の幅方向に沿った拘束力が不足し、給送方向へ搬送されるシートが斜行し、ジャム等の供給トラブルが生じ易くなる。そこで、このような問題を解決するために、補助位置規制部材の給送方向に沿った寸法を拡大すると、ボトムプレートに形成された切欠部の給送方向に沿った寸法も拡大することが必要となるため、ボトムプレートの撓み方向及び捩れ方向の剛性が低下し、ボトムプレートシート上のシートのフィードロールに対する圧接力が低下したり、軸方向に沿った圧力分布が不安定になり、ミスフィード等の供給トラブルが発生し易くなる。
【０００９】
本発明の目的は、上記事実を考慮して、定型サイズよりも幅の狭い特殊サイズのシートからなるシート束を収納し、サイドガイドにより正しく位置決めできると共に、このシート束に対するシート供給装置の分離・給送手段による分離及び給送性能の低下を防止でき、しかも製造コストの上昇を効果的に抑制できる給紙カセットを提供することにある。
【課題を解決するための手段】
【００１０】
本発明の請求項１に係る給紙カセットは、１枚以上のシートからなるシート束が収納されると共に、該シート束から１枚のシートを分離して所定の給送方向へ搬送する分離・給送手段を備えたシート供給装置の本体部に着脱可能に装着される給紙カセットであって、シート束が内部に収納可能とされたカセット本体と、分離・給送手段に対して接離する昇降方向に沿って移動可能となるように前記カセット本体内に設けられ、該カセット本体内に収納されたシート束が載置されるボトムプレートと、前記ボトムプレート上に載置されたシート束の両側端部の幅方向外側にそれぞれ設けられ、該シート束の側端部に接して該シート束を前記幅方向に沿って所定の幅基準位置へ位置決めすると共に、シート供給装置の分離・給送手段により搬送されるシート幅方向に沿って変移することを制限する一対のサイドガイドとを有し、前記ボトムプレートにおける該ボトムプレート上に載置されるシート束の両側端部にそれぞれ対応する部分に開口部を穿設し、前記サイドガイドに、前記幅方向に沿って前記ボトムプレートの外側に配置されたベース部と、前記ベース部に前記幅方向に沿って内側へ延出するように連結されると共に、該ベース部により前記ボトムプレートの上方に支持された延出部と、前記延出部の内側の端部から下方へ延出して下端側が前記開口部内へ挿通するガイドプレート部とを設けたことを特徴とする。
【００１１】
上記請求項１に係る給紙カセットでは、ボトムプレートに、このボトムプレート上に載置されるシート束の両側端部にそれぞれ対応する部分に開口部を穿設し、さらにサイドガイドに、幅方向に沿ってボトムプレート上に載置されたシート束の外側に配置されたベース部と、ベース部から幅方向に沿って内側へ延出するようにベース部材に連結されると共に、このベース部によりボトムプレートの上方に支持された延出部と、この延出部の内側の端部から下方へ延出して下端側が前記開口部内へ挿通するガイドプレート部とを設けたことにより、サイドガイドのガイドプレート部を幅方向に沿ってベース部の内側に支持できると共に、ボトムプレートがその開口部によりガイドプレート部に干渉することなく昇降方向へ移動可能になるので、ボトムプレートのベース部の内側の部分よりも幅が狭いシートからなるシート束をボトムプレート上に載置した場合でも、一対のサイドガイドのガイドプレート部を、幅方向に沿ってボトムプレート上に載置されたシート束の両側端部にそれぞれ対応する位置へ支持し、これら一対のガイドプレート部によりボトムプレート上に載置されたシート束を所定の幅基準位置へ位置決めすると共に、シート供給装置の分離・給送手段により搬送されるシートが幅方向に沿って変移することを制限できる。
【００１２】
ここで、サイドガイドには、延出部及びガイドプレート部がボトムプレートのベース部よりも内側部分の側端から開口部までの部分を跨ぐように設けられ、ガイドプレート部がボトムプレートの側端よりも内側に支持されているので、サイドガイドをボトムプレートの側端より内側へ移動させるために、ボトムプレートに側端から内側へ向って切欠部を形成する必要がなくなり、ボトムプレートに生じる強度低下を効果的に抑制できる。
【００１３】
この結果、ボトムプレートに撓みや捩れが生じ、ボトムプレート上に載置されたシート束の分離・給送手段に対する圧接力が低下したり、シート束の分離・給送手段に対する圧接力の分布が不安定になることを抑制できるので、分離・給送手段により定型サイズよりも幅の狭い特殊サイズのシートをシート束からシートを分離し、これを給送方向へ給送する際に供給トラブルが発生することを効果的に防止できる。
【００１４】
またサイドガイドにおけるベース部としては、例えば、定型サイズのシートを収納する給紙カセットにおける従来のサイドガイドをそのまま用いることも可能なので、この従来のサイドガイドに延出部及びガイドプレート部を取り付けることにより、本発明に係るサイドガイドを構成するようにすれば、製造コストの上昇を抑制しつつ、定型サイズよりも幅の狭い特殊サイズのシートからなるシート束を収納できる給紙カセットを得られる。
【００１５】
また本発明の請求項２に係る給紙カセットは、請求項１記載の給紙カセットにおいて、前記ボトムプレートにおける前記給送方向に沿って前記開口部から後方に離間した部位に切欠部を形成し、前記ガイドプレート部に、前記給送方向に沿って後方へ延出すると共に、その下端側が前記切欠部内へ挿通する延出ガイド部を一体的に設けたことを特徴とする。
【００１６】
また本発明の請求項３に係る給紙カセットは、請求項２記載の給紙カセットにおいて、前記サイドガイドを前記幅方向に沿って移動可能に設けると共に、前記開口部及び前記切欠部を前記ガイドプレート部及び前記延出ガイド部の前記幅方向に沿った移動範囲よりも外側及び内側へ向って幅広に形成したことを特徴とする。
【００１７】
また本発明の請求項４に係る給紙カセットは、請求項２又は３記載の給紙カセットにおいて、前記延出ガイド部における前記幅方向に沿った内側の面に弾性を有するシート材を貼り付けたことを特徴とする。
【００１８】
また本発明の請求項５に係る給紙カセットは、請求項１乃至４の何れか１項記載の給紙カセットにおいて、前記カセット本体は、前記給送方向に沿って前記ボトムプレートの前方に設けられた前板部と、前記前板部の上端部に凹状となるように形成され、前記幅方向に沿って前記ボトムプレート上に載置されたシート束の両側端よりも外側まで広がった逃げ部とを備え、前記カセット本体には、前記前板部の内側面に固定されて前記逃げ部の少なくとも一部を閉止すると共に、前記前記ボトムプレート上に載置されたシート束の先端部との対向するストッパプレートが配設されたことを特徴とする。
【００１９】
また本発明の請求項６に係る給紙カセットは、請求項５記載の給紙カセットにおいて、シート供給装置の分離・給送手段には、ボトムプレート上に載置されたシート束の上端側から１枚乃至複数枚のシートを前記給送方向へ送り出す送出部材と、該送出部材により複数枚のシートが送りされた場合に最上部の１枚のシートのみを他のシートから分離する分離部材とが設けられ、前記ストッパプレートの上端部には、分離・給送手段の給送部材により前記ボトムプレート上に載置されたシート束の上端側から前記給送方向へ送り出された１枚乃至複数枚のシートを分離部材へ案内するガイド部が設けられたことを特徴とする。
【発明の効果】
【００２０】
以上説明したように本発明に係る給紙カセットによれば、定型サイズよりも幅の狭い特殊サイズのシートからなるシート束を収納し、サイドガイドにより正しく位置決めできると共に、このシート束に対するシート供給装置の分離・給送手段による分離及び給送性能の低下を防止でき、しかも製造コストの上昇を効果的に抑制できる。
【発明を実施するための最良の形態】
【００２１】
以下、本発明の実施形態に係る給紙カセットについて図面を参照して説明する。
【００２２】
図１には、本発明の実施形態に係る給紙カセットが適用可能とされた給紙機構を備えたレーザープリンタが示されている。このレーザープリンタ２１は、記録媒体である記録紙Ｐ上に画像を形成する装置本体２２と及びハイキャパシティースタッカ(ＨＣＳ)７１とを備えている。装置本体２２内にはプロセスカートリッジ２５が設けられており、プロセスカートリッジ２５は、トナーを含む現像剤を収容すると共に、静電潜像を形成する像担持体としての感光体ドラム２６、静電方式を用いてトナーを感光体ドラム２６に付着させるマグロール２７の他、図示しない帯電装置やクリーナー等の作像部を備え、装置本体２２に装脱着可能に構成されている。また、装置本体２２には、プロセスカートリッジ２５に隣接してレーザ走査装置などの画像書込装置(ＲＯＳ)２９が設けられており、レーザープリンタ２１では、プロセスカートリッジ２５に設けられた露光経路２８を経て帯電された感光体ドラム２６をレーザビームにより露光するように構成されている。このＲＯＳ２９は、図示しないパーソナルコンピュータ(ＰＣ)等のホスト装置から入力された画像出力指示に従って、図示しない画像処理部(ＩＰＳ)からのデジタル画像信号に基づいて感光体ドラム２６上に静電潜像を形成するように構成される。
【００２３】
また、装置本体２２には、感光体ドラム２６に対向して転写ロール３０が配設されており、この転写ロール３０は、感光体ドラム２６上に形成されたトナー像を搬送される記録紙Ｐに転写する。この記録紙Ｐは定着装置３１に搬送され、定着装置３１は、記録紙Ｐ上に形成された未定着トナー像を、例えば加熱圧着等により定着させる機能を有する。また、装置本体２２は、図示しない制御部を備えており、この制御部により画像形成時における各種制御の他、後述する記録紙Ｐの供給、搬送や、オプション装置の制御等を実施している。
【００２４】
また、装置本体２２において、符号３３はマルチシートインサータであり、任意のサイズからなる記録紙Ｐを積載した状態にて装脱着自在に構成されており、シート搬送方向に対して長いサイズの記録紙Ｐに対しては、ペーパートレイ３４を開いて記録紙Ｐの搬送を補助するように構成されている。このマルチシートインサータ３３に積載された記録紙Ｐは、半月形状からなるフィードロール３５の回転により感光体ドラム２６等からなる作像部へと搬送される。
【００２５】
更に、装置本体２２の下部側には、作像部へ記録紙Ｐを自動的に供給するための給紙機構３６が設けられている。この給紙機構３６には、装置本体２２の一部として構成された本体側給紙部８０が設けられると共に、この本体側給紙部８０に着脱可能に装着される給紙カセット８２が設けられている。この給紙カセット８２内には、給紙カセット８２の両側の側板部にそれぞれ設けられた支軸８８を回動中心として揺動可能に支持され、コイルスプリング９２により記録紙Ｐを上昇させるボトムプレート８４が設けられている。このボトムプレート８４上に載置された記録紙Ｐの束（以下、これを「記録紙Ｐ」と特に区別する必要がある場合には、「紙束Ｂ」という。）は、半月形状からなるフィードロール３７に押し当てられ、フィードロール３７の回転によって供給される。フィードロール３７に対向する位置にリタードロール３８が配置されており、このリタードロール３８は、図示しないトルクリミッタをその回転軸に備え、ある一定以下のトルク状態では回転しないことにより、記録紙Ｐを１枚毎に捌いて供給できるように構成されている。この給紙機構３６から供給された記録紙Ｐは、搬送ロール３９により作像部へ向けて搬送される。
【００２６】
マルチシートインサータ３３から供給された記録紙Ｐや、給紙機構３６から供給され搬送ロール３９を経由した記録紙Ｐは、レジストロール４０により作像部とのタイミングが取られ、感光体ドラム２６と転写ロール３０とのニップ部へと搬送される。その後、定着装置３１にて第１のシート面に画像が定着された記録紙Ｐは、ゲート４３を経由して、排紙ロール４１により装置本体２２の上面に形成された排紙トレイ４２上に、片面印字の場合は画像形成された一方の面を下向きにした状態にて排出される。一方、両面印字の場合には、一旦、排紙トレイ４２側に送られた記録紙Ｐは、後端部近傍が排紙ロール４１に保持される位置に達すると排紙ロール４１の逆転により反転させられ、今まで後端であった端部を先端部として自動両面搬送路４４に送られる。この自動両面搬送路４４において、記録紙Ｐは搬送ロール４５により搬送され、再度、レジストロール４０を経て他方の面に対して印字がなされる。
【００２７】
本実施形態のレーザープリンタ２１では、オプション装置としてハイキャパシティースタッカ(ＨＣＳ)７１が装置本体２２に接続されている。このＨＣＳ７１は、搬送ロール７３を有する搬送路７２を形成すると共に、排出ロール７４により排出トレイ７５に記録紙Ｐを排出できるように構成されている。この排出ロール７４は一定部数毎に左右にずらすことが可能であり、例えばホスト装置からのジョブ情報により記録紙Ｐを複数部ずらせて排出トレイ７５に積載させ、オフセット出力が可能となるように構成されている。また、排出トレイ７５は、大量約５００枚の記録紙Ｐを積載できるように設計されている。ここで、装置本体２２は、ＨＣＳ７１の搬送路７２に記録紙Ｐを送り込むに際し、制御部による制御信号に基づいてゲート４３を切り換えて搬送路７２の方向に搬送路を形成すると共に、搬送ロール４９を回転させる。画像が形成された記録紙Ｐは、このゲート４３を経由して搬送ロール４９によって下流へと搬送され、排出ロール７４によりオフセット制御された状態にて排出トレイ７５に積載される。
【００２８】
図２及び図３には、装置本体２２における給紙機構３６に着脱可能に装着される給紙カセット８２が示されている。この給紙カセット８２は、Ａ系列、Ｂ系列等の定型サイズの記録紙とは長辺方向及び短辺方向の寸法比が異なると共に、通常使用される小サイズ（例えば、Ｂ５サイズ）の記録紙よりも幅が狭い記録紙Ｐ（図３参照）を収納可能とされている。
【００２９】
図２に示されるように、給紙カセット８２は、その高さ方向（図６の矢印Ｈ方向）に沿って扁平であって、上面側が開口した筐体状に形成されている。給紙カセット８２内には、その底面部上にボトムプレート８４が配置されており、このボトムプレート８４上には、給紙カセット８２内に収納された紙束Ｂが載置される。ボトムプレート８４には、給紙カセット８２の幅方向（図５の矢印Ｗ方向）に沿った両側の側端部にそれぞれ上方へ屈曲された連結部８６が一体的に形成されており、この連結部８６には、給紙カセット８２の両側の側板部にそれぞれ設けられた支軸８８が挿入される長穴状の連結穴９０が穿設されている。ここで、一対の支軸８８は、一対の連結穴９０内にそれぞれ相対的に摺動及び回動可能に挿入されており、これにより、ボトムプレート８４は、支軸８８を略中心として所定の昇降方向に沿って揺動可能に支持される。
【００３０】
給紙カセット８２内には、図６に示されるように、底面部とボトムプレート８４の先端側との間にコイルスプリング９２が介装されており、このコイルスプリング９２は、ボトムプレート８４を昇降方向に沿って上方へ付勢している。これにより、給紙カセット８２では、図６の二点鎖線で示されるように、ボトムプレート８４上に載置された紙束Ｂの上面部がフィードロール３７側へ持ち上げられる。
【００３１】
図２及び図３に示されるように、給紙カセット８２内には、ボトムプレート８４上に載置された紙束Ｂの幅方向外側に位置するように一対のサイドガイド９４，９６が設けられている。これら一対のサイドガイド９４，９６は、それぞれ幅方向に沿ってスライド可能に支持されており、ボトムプレート８４上に載置される紙束Ｂの側端部に当接し、又は十分に近接するように位置調整される。ここで、一対のサイドガイド９４，９６は、ボトムプレート８４の下面側に配設されたラック、ピニオン等からなる連動機構（図示省略）により互いに連結されており、この連結機構は、一方のサイドガイド９４，９６の移動に連動し、他方のサイドガイド９４，９６がボトムプレート８４の幅方向中心に対して対称的な位置に移動させる。これにより、一対のサイドガイド９４，９６は、常にボトムプレート８４の幅方向中心に対して互いに対称的な位置に拘束され、ボトムプレート８４上の紙束Ｂの幅方向中心をボトムプレート８４の幅方向中心と一致するように位置決めする。
【００３２】
図４に示されるように、サイドガイド９４，９６には、幅方向に沿って下方へ向って開いた略コ字状の断面を有する筒状に形成された延長ガイド部材９８が設けられると共に、この延長ガイド部材９８の外側にプレート状のベース部材１０２が立設されており、このベース部材１０２には、延長ガイド部材９８が連結固定されている。ここで、延長ガイド部材９８には、ベース部材１０２の上端部から幅方向に沿って内側へ延出する平板状の延出部１６２と、この延出部１６２の内側の端部から下方へ延出するガイドプレート部１６４が一体的に設けられている。ガイドプレート部１６４は、給紙カセット８２の奥行方向（図２の矢印Ｄ方向）と平行に延在しており、その内側の平面部分がガイド面１００とされている。このガイド面１００は、ボトムプレート８４上に載置された紙束Ｂの側端部へ接し、この紙束Ｂを幅方向に沿ってボトムプレート８４のセンター位置へ位置決めすると共に、フィードロール３７により紙束Ｂから分離される記録紙Ｐが幅方向に沿って変移することを制限する。すなわち、一対のガイド面１００は、フィードロール３７により紙束Ｂから分離される記録紙ＰのＷ−Ｄ平面上における移動方向が奥行方向となるように記録紙Ｐを案内する。
【００３３】
図２に示されるように、ボトムプレート８４には、このボトムプレート８４上に載置される紙束Ｂの両側端部にそれぞれ対応する部分に奥行方向を長手方向とする略長方形の開口部１６６が穿設されている。一方、ガイドプレート部１６４には、その先端側における開口部１６６に対向する部位に下方へ向って延出する矩形状の挿通片１６８が形成されており、この挿通片１６８は、開口部１６６内を挿通し、その下端部がカセット本体８３の底板部近くまで延びている。
【００３４】
図３に示されるように、カセット本体８３内には、ボトムプレート８４上に載置された紙束Ｂの給紙方向後側に位置するようにエンドフェンス１０６が設けられている。このエンドフェンス１０６は、カセット本体８３の底板部上に奥行方向へ延在するように設けられたガイドレール部１７０により奥行方向に沿って前方及び後方へスライド可能に支持されており、ボトムプレート８４上に載置される紙束Ｂの後端部に当接又は十分に近接するように位置調整される。図２に示されるように、ボトムプレート８４の後端側には、ガイドレール部１７０との対向する部分に先端側へ向って凹状に切り欠かれた進入部１７２が形成されている。これにより、エンドフェンス１０６は、進入部１７２内を通ってボトムプレート８４の後端よりも前方へ移動可能になり、ボトムプレート８４よりも短い記録紙Ｐがボトムプレート８４上に載置された場合でも、この記録紙Ｐの後端部に当接又は十分に近接する位置まで移動可能になる。
【００３５】
図２に示されるように、ボトムプレート８４には、奥行方向に沿って開口部１６６から後方に離間した部位に切欠部１７４が形成されている。切欠部１７４は、その内側の端部が進入部１７２へ連通している。ガイドプレート部１６４には、その下端部における挿通片１６８の後側の部分に凹状の逃げ部１７６が形成されており、この逃げ部１７６によりガイドプレート部１６４は、昇降方向へ揺動するボトムプレート８４へ衝突しないようになっている。またガイドプレート部１６４には、奥行方向に沿って逃げ部１７６の後方に延出ガイド部１８０が一体的に設けられており、この延出ガイド部１８０は、その下端側が切欠部１７４内へ挿通し、カセット本体８３の底板部近くまで延びている。
【００３６】
ここで、サイドガイド９４におけるベース部材１０２は、本来的には、Ａ系列、Ｂ系列等の定型サイズの記録紙を幅方向に沿って位置決めするためにサイドガイドとして設けられたものであって、本実施形態では、ベース部材１０２の内側に延長ガイド部材９８を連結固定し、ベース部材１０２から延長ガイド部材９８を内側へ向って突出させることにより、非定型で幅の狭い記録紙Ｐをサイドガイド９４，９６により位置決め可能としている。またボトムプレート８４の開口部１６６は、ガイドプレート部１６４の幅方向に沿った移動範囲よりも外側及び内側へ向って幅広に形成され、切欠部１７４は、ガイドプレート部１６４の幅方向に沿った移動範囲よりも内側へ向って幅広に形成されている。これにより、サイドガイド９４は、ボトムプレート８４上に載置される記録紙Ｐの幅に応じた位置へ移動可能になる。
【００３７】
図２に示されるように、サイドガイド９４の延出ガイド部１８０には、矩形状に形成された弾性シート１７８が貼り付けられている。この弾性シート１７８は、厚さ方向へ弾性を有し、記録紙Ｐに対する摩擦係数が小さい材料、例えばＰＥＴ（ポリエチレンテレフタレート）、シート付き発泡ウレタンゴム等により形成されており、その厚さが１．０ｍｍ程度とされている。このような弾性シート１７８を延出ガイド部１８０に貼り付けることより、ボトムプレート８４上に載置された記録紙Ｐに対する搬送抵抗の上昇を抑制しつつ、ガイドプレート部１６４により記録紙Ｐに対する幅方向に沿った拘束力を効果的に高めることができる。この結果、特に、図３に示されるような細長い記録紙Ｐに対するフィードロール３７による分離及び給送時に、この記録紙Ｐが幅方向に沿って変移すること、すなわち斜行が生じることを効果的に防止できる。
【００３８】
図３及び図４に示されるように、一対の延長ガイド部材９８のガイドプレート部１６４には、そのガイド面１００における先端上部側のコーナー部から内側へ延出する係止部１０４がそれぞれ形成されている。この係止部１０４は、ボトムプレート８４上に載置されて上方へ付勢された紙束Ｂの上面部における先端側の両コーナーをそれぞれ係止し、この紙束Ｂの上面部を高さ方向に沿って所定の給紙位置に位置決めする。なお、この係止部１０４はベース部材１０２にも形成されているが、このベース部材１０２の係止部１０４は本実施形態では使用されない。
【００３９】
図２に示されるように、給紙カセット８２の先端側の前板部１０８には、その上端中央部に凹状に切り欠かれた逃げ部１１０が形成されており、図６〜図８に示されるように、この逃げ部１１０により前板部１０８がフィードロール３７及びリタードロール３８へ干渉することが防止されている。給紙カセット８２の前板部１０８には、その内側の面に逃げ部１１０を閉止するようにストッパプレート１１２が固着されている。このストッパプレート１１２は、その前面部が給紙カセット８２の先端面に対して前板部１０８の厚み分だけ後方へ逃げるように配置されており、これにより、ストッパプレート１１２がフィードロール３７及びリタードロール３８へ干渉することが防止されている。
【００４０】
ここで、この逃げ部１１０の幅は、フィードロール３７及びリタードロール３８のロール面の幅より若干広く形成されている。一方、図４に示されるフィードロール３７により給紙される記録紙Ｐの幅は、フィードロール３７又はリタードロール３８のロール面の幅よりも狭くなっている。このため、定型サイズの記録紙を収納する給紙カセットでは、ボトムプレート８４上に載置された紙束の後端部にエンドフェンス１０６を当接させると共に、この紙束の先端部をカセット本体８３の前板部１０８を突き当てることにより、給紙方向に沿って紙束を所定の位置へ位置決めしているが、本実施形態の給紙カセットでは、紙束Ｂをストッパプレート１１２の内側の面へ突き当てることにより、給紙方向に沿って紙束を所定の位置へ位置決めしている。
【００４１】
なお、図６に示されるように、給紙カセット８２では、紙束Ｂが載置されたボトムプレート８４が後方へ向って傾斜する。このことから、ボトムプレート８４上の紙束Ｂにはエンドフェンス１０６側へ向かう分力が作用し、フィードロール３７の停止時には、紙束Ｂの先端部とカセット本体８３の前板部１０８との間には隙間が形成される。しかし、分離給紙時に紙束Ｂにフィードロール３７からの搬送力が作用した場合には、紙束Ｂが前方へ押し出されるおそれがある。このとき、ストッパプレート１１２により紙束Ｂの前方への移動を阻止しないと、紙束Ｂの先端側がカセット本体８３内から前方へはみ出すことが生じ、その後の分離給紙動作に障害を発生させることがある。
【００４２】
図２に示されるように、ストッパプレート１１２の上端部には、ボトムプレート８４の幅方向中心に対して略対称的な配置となるように一対のガイド突起１１４が形成されている。このガイド突起１１４は、図６に示されるように斜め上方へ屈曲されている。このガイド突起１１４は、その上面部によりフィードロール３７により紙束Ｂから分離された記録紙Ｐをリタードロール３８のロール面上へ案内する。これにより、フィードロール３７により複数枚の記録紙Ｐが同時に分離された場合でも、リタードロール３８により確実に最上部の記録紙Ｐを除く記録紙Ｐを後方へ押し戻すことができるので、給紙カセット８２から複数枚の記録紙Ｐが同時に作像部へ送られる重送が防止される。
【００４３】
また給紙カセット８２には、両側の側板部における先端側にそれぞれラッチレバー１１６が設けられており、これら一対のラッチレバー１１６は、給紙カセット８２の本体側給紙部８０からの抜脱動作に連動し、本体側給紙部８０に設けられた係合部（図示省略）に係合すると共に、コイルスプリング９２に抗してボトムプレート８４を昇降方向に沿った下限位置へ揺動させ、この下限位置へ拘束する。また一対のラッチレバー１１６は、給紙カセット８２の本体側給紙部８０からの装着動作に連動し、本体側給紙部８０に設けられた係合部（図示省略）に係合すると共に、下限位置にあるボトムプレート８４を解放する。これにより、ボトムプレート８４は、コイルスプリング９２の付勢力により昇降方向に沿って上昇し、紙束Ｂの上面部が一対の係止部１０４へ圧接する位置へ保持される。
【００４４】
図６に示されるように、本体側給紙部８０には、この本体側給紙部８０に装着されている給紙カセット８２のボトムプレート８４の上方に位置するようにＬ字状の検出レバー１１８が配設されている。検出レバー１１８には、その基端部に連結軸１２０が設けられており、この連結軸１２０は、フィードロール３７を軸支したロールフレーム１１９に回動可能に連結されている。これにより、検出レバー１１８は、所定の非検出位置（図６参照）と検出位置（図８参照）との間で揺動可能となるように支持される。このとき、検出レバー１１８は、その自重により常に検出位置側へ付勢されている。また検出レバー１１８には、その基端側が連結軸１２０から給紙方向に沿って前方へ延出すると共に、先端側が上方へ向って延出するように長手方向に沿った中間部で屈曲されている。
【００４５】
ここで、検出レバー１１８は、給紙カセット８２内に収納された記録紙Ｐの有無を検出するためのものであり、図２に示されるように、幅方向に沿ってボトムプレート８４上に載置された紙束Ｂの外側であって、一方のサイドガイド９６の上方となる位置に配置されている。検出レバー１１８は、その長手方向中間部の屈曲部分が後述する第１拘束部材１３２（図９（Ｂ）参照）に対応する当接部１２２とされている。また検出レバー１１８の先端部には、後述するエンプティセンサ１２８（図６）に対応するストライカ部１２４とされている。
【００４６】
なお、検出レバー１１８及びエンプティセンサ１２８は、定型サイズの記録紙を収納する給紙カセットが本体側給紙部８０に装着された場合にも、この給紙カセット内の記録紙の有無を検出するために用いられる。この場合には、検出レバー１１８は、当接部１２２をボトムプレート８４上に載置された記録紙に直接当接させることにより、エンプティセンサ１２８を作動させない非検出位置に保持され、ボトムプレート８４上から全ての記録紙が搬出され、当接部１２２付近がボトムプレート８４に形成された切欠部（図示省略）内へ落ち込むことにより、エンプティセンサ１２８を作動させる検出位置へ揺動する。
【００４７】
図６に示されるように、ロールフレーム１１９には、検出レバー１１８に対応する部位にエンプティセンサ１２８が配設されている。このエンプティセンサ１２８には、発光素子及び受光素子を有する検出部１３０が設けられており、検出レバー１１８のストライカ部１２４が検出部１３０における発光素子及び受光素子を遮る検出位置（図８参照）へ移動すると、オン状態からオフ状態となってエンプティ信号をレーザープリンタ２１の制御部（図示省略）へ出力する。このエンプティ信号を受けた制御部は、ボトムプレート８４上から全ての記録紙Ｐが搬出されたこと、すなわち給紙カセット８２内が空であることを判断し、ユーザに対するエンプティ表示の表示制御や、作像動作の一時中止制御等の必要な制御を行う。なお、エンプティセンサ１２８としては、本実施形態のように光学的センサに限定されず、磁気的又は機械的にストライカ部１２４を検出するセンサを用いても良い。
【００４８】
図５及び図９に示されるように、ボトムプレート８４には、その先端部にプレート状の第１拘束部材１３２が配置されている。この第１拘束部材１３２には、幅方向中央部付近に回動軸１３４が設けられており、この回動軸１３４は、ボトムプレート８４の下面に設けられた支軸部１３６により回動可能に支持されている。この回動軸１３４の軸心は、ボトムプレート８４上に載置された記録紙Ｐの給紙方向と略一致するように延在している。一方、ボトムプレート８４には、回動軸１３４に対して内側の部分に給紙方向へ延在するスリット状の挿通部１３８が穿設されると共に、回動軸１３４に対して外側の部分に矩形状の開口部１４０が穿設されている。また第１拘束部材１３２には、回動軸１３４の内側の部分に挿通部１３８を通ってボトムプレート８４上へ延出するスタック部１４２が形成されると共に、回動軸１３４の外側の部分にボトムプレート８４に形成された開口部１４０内に支持されるレバー支持部１４４が形成されている。
【００４９】
第１拘束部材１３２は、回動軸１３４を中心として図９（Ａ）及び（Ｂ）に示される拘束位置と、図９（Ｃ）に示される許容位置との間で回動可能とされている。ここで、第１拘束部材１３２は、拘束位置にあるときには、図９（Ａ）に示されるように、スタック部１４２をボトムプレート８４の上面部におけるサイドガイド９４に対して内側の領域に当接させると共に、レバー支持部１４４を開口部１４０内へ挿入してレバー支持部１４４の上面部をボトムプレート８４の上面部と略一致させる。また第１拘束部材１３２は、許容位置に回動すると、図９（Ｃ）に示されるように、スタック部１４２をボトムプレート８４の上方へ離間させると共に、レバー支持部１４４を下方へ移動させて開口部１４０を開放する。
【００５０】
ここで、図９（Ａ）及び（Ｂ）に示されるように、第１拘束部材１３２は、ボトムプレート８４上に紙束Ｂが載置されている状態では、スタック部１４２がボトムプレート８４の上面部と紙束Ｂの下面部との間に挟持され、拘束位置に保持される。このとき、紙束Ｂは、その先端部付近がサイドガイド９４，９６の係止部１０４により係止されているので、記録紙Ｐの枚数（自重）が少なくても、第１拘束部材１３２を確実に拘束位置に保持する。また第１拘束部材１３２は、自重により生じる回動軸１３４に対して外側部分のモーメントが内側部分のモーメントよりも僅かに大きくなるように構成されており、これにより、図９（Ｃ）に示されるように、ボトムプレート８４上に紙束Ｂが無くなると、それに連動して拘束位置から許容位置へ回動する。
【００５１】
上記のように構成された第１拘束部材１３２は、ボトムプレート８４上の紙束Ｂにより拘束位置に保持されている場合であって、ボトムプレート８４上に残っている記録紙Ｐの枚数が所定のしきい枚数未満であるロウレンジ状態では、図９（Ｂ）に示されるように、レバー支持部１４４を検出レバー１１８の当接部１２２へ当接して検出レバー１１８の下方への揺動を制限することにより、検出レバー１１８を非検出位置に拘束、すなわち非検出位置から検出位置への揺動を阻止する。また第１拘束部材１３２は、ボトムプレート８４上から全ての記録紙Ｐが搬出完了したエンプティ状態では、図９（Ｃ）に示されるように、レバー支持部１４４を開口部１４０内から下方へ離脱させることにより、検出レバー１１８の非検出位置から検出位置への揺動を許容する。これにより、検出レバー１１８は、エンプティ状態では、その自重により非検出位置から検出位置への揺動し、ストライカ部１２４によりエンプティセンサ１２８をオン状態からオフ状態に変化させる。
【００５２】
図４に示されるように、サイドガイド９６のガイド部材には、その頂板部の先端部分に検出レバー１１８に対応して切欠部１４６が形成されており、この延長ガイド部材９８内には、切欠部１４６に面して第２拘束部材１５０が配設されている。第２拘束部材１５０は、図６に示されるように、幅方向外側から見てクランク状に屈曲されており、その一端部が検出レバー１１８の基端部の下側に位置するレバー支持部１５２とされている。
【００５３】
またクランク状の第２拘束部材１５０には２つの屈曲部が形成されており、レバー支持部１５２から遠い側の屈曲部は、ボトムプレート８４の上面部に常に当接するボトム当接部１５４とされている。また第２拘束部材１５０のレバー支持部１５２から近い側の屈曲部は、第２拘束部材１５０の回動中心となる支点部１５６とされている。一方、ボトムプレート８４には、サイドガイド９４内に上方へ延出する支持プレート１５８が設けられている。第２拘束部材１５０は、その支点部１５６が支持プレート１５８の上部側に切り欠かれた連結部１６０に嵌め込まれることにより、支点部１５６を中心として支持プレート１５８に揺動可能に連結されている。
【００５４】
ここで、第２拘束部材１５０は、図６〜図８に示されるように、ボトム当接部１５４をボトムプレート８４の上面部に常に当接させると共に、レバー支持部１５２を検出レバー１１８の基端部に対して接離させる。また第２拘束部材１５０は、自重により支点部１５６に対してボトム当接部１５４側の部分によって生じるモーメントが、支点部１５６に対してレバー支持部１５２側の部分によって生じるモーメントよりも十分に大きくなるように構成されている。これにより、第２拘束部材１５０は、ボトムプレート８４の昇降方向に沿った揺動動作に連動し、支点部１５６を中心として所定の拘束位置（図６参照）と解放位置（図７及び図８参照）との間で揺動する。
【００５５】
具体的には、第２拘束部材１５０は、ボトムプレート８４上に給紙カセット８２内に収容可能な最大枚数の記録紙Ｐが載置されている満載状態から、ボトムプレート８４上に残っている記録紙Ｐが所定のしきい枚数になるまでのミドルレンジ状態では、ボトム当接部１５４がボトムプレート８４に当接した状態に維持されると共に、レバー支持部１５２が検出レバー１１８を下方から支持することにより、検出レバー１１８を拘束位置に保持する。このとき、検出レバー１１８は、図６に示されるように、その当接部１２２が第１拘束部材１３２の上方に位置する非検出位置に保持され、第１拘束部材１３２を下方へ押圧しない。
【００５６】
また第２拘束部材１５０は、ミドルレンジ状態からボトムプレート８４上に残っている記録紙Ｐが前記しきい枚数未満であるロウレンジ状態へ変化する際には、ボトムプレート８４の上昇に従ってレバー支持部１４４を下方へ移動させるように揺動し、図８に示されるように、ロウレンジ状態になると同時にレバー支持部１５２を検出レバー１１８の下方へ離間する解放位置へ達する。これにより、検出レバー１１８は、その当接部１２２を拘束位置にある第１拘束部材１３２のレバー支持部１４４へ当接し、このレバー支持部１４４により非検出位置に拘束される。この後、ボトムプレート８４上から全ての記録紙Ｐが搬出されたエンプティ状態になると、前述したように第１拘束部材１３２が許容位置へ移動し、これに連動して検出レバー１１８が非検出位置から検出位置へ揺動する。このとき、検出レバー１１８は、図８に示されるように、その基端部を第２拘束部材１５０のレバー支持部１５２へ再び当接させる。なお、本実施形態では、ボトムプレート８４上に載置された記録紙Ｐのしきい枚数を紙束Ｂの厚さが略５ｍｍとなるときの記録紙Ｐの枚数に設定している。
【００５７】
従って、給紙機構３６では、ボトムプレート８４及び検出レバー１１８にそれぞれ当接した第２拘束部材１５０が、ボトムプレート８４上に給紙カセット８２内に収容可能な最大枚数の記録紙Ｐが載置されている満載状態から、ボトムプレート８４上に残っている記録紙Ｐがしきい枚数になるまでのミドルレンジ状態では、ボトムプレート８４により拘束位置に保持されて検出レバー１１８を非検出位置に拘束し、またボトムプレート８４上に残っている記録紙Ｐがしきい枚数未満であるロウレンジ状態では、ボトムプレート８４により解放位置に保持されて検出レバー１１８を非検出位置から解放することにより、ボトムプレート８４上の紙束Ｂがミドルレンジ状態の場合には、拘束位置にある第２拘束部材１５０により検出レバー１１８が非検出位置に拘束されるので、エンプティセンサ１２８からの信号状態によりレーザープリンタ２１の制御部が給紙カセット８２内に記録紙Ｐが残っていること（記録紙有り）を判断でき、またボトムプレート８４上の紙束Ｂがロウレンジ状態の場合には、第２拘束部材１５０が解放位置に移動して検出レバー１１８の非検出位置から検出位置への移動を許容されるが、このロウレンジ状態であってもボトムプレート８４上から記録紙Ｐが全て無くなるまでは、第１拘束部材１３２により検出レバー１１８が非検出位置に拘束され続けるので、エンプティセンサ１２８により全ての記録紙Ｐが給紙カセット８２内から搬出されたことが検出されない。
【００５８】
ここで、上記のようにボトムプレート８４上の紙束Ｂがロウレンジ状態なるまでは、第２拘束部材１５０により検出レバー１１８を非検出位置に拘束することにより、本実施形態のように検出レバー１１８のその揺動方向に沿った寸法を十分に長くできず、検出レバー１１８の当接部１２２が満載状態からミドルレンジ状態の紙束Ｂが載置されたボトムプレート８４に届かないような場合でも、満載状態からミドルレンジ状態の紙束Ｂがボトムプレート８４上に載置されている間は、第２拘束部材１５０により検出レバー１１８を非検出位置に拘束できる。従って、給紙機構３６によれば、本実施形態のように検出レバー１１８が小型のものであっても、給紙カセット８２に第２拘束部材１５０を設けるだけで、給紙カセット８２内に収納された定型サイズよりも小さい特殊サイズの記録紙Ｐの有無を検出できる。
【００５９】
また給紙機構３６では、ボトムプレート８４に設けられた第１拘束部材１３２が、ボトムプレート８４上に紙束Ｂが載置されていると、この紙束Ｂの下面部に当接すると共に、検出レバー１１８の当接部１２２にも当接して検出レバー１１８を非検出位置に拘束し、ボトムプレート８４上から全ての記録紙Ｐが搬出されると、検出レバー１１８の非検出位置から検出位置への移動を許容することより、ボトムプレート８４上に紙束Ｂが載置されている、すなわち給紙カセット８２内に記録紙Ｐが残っている場合には、検出レバーが非検出位置に拘束され、エンプティセンサ１２８により全ての記録紙Ｐが給紙カセット８２内から搬出されたことが検出されないので、エンプティセンサ１２８からの信号状態により給紙カセット８２内に記録紙Ｐが残っていること（記録紙有り）を制御部が判断でき、またボトムプレート８４上に紙束Ｂが載置されていない、すなわち給紙カセット８２内に記録紙Ｐが残っていない場合には、検出レバー１１８がその自重により非検出位置から検出位置へ揺動して、エンプティセンサ１２８により全ての記録紙Ｐが給紙カセット８２内から搬出されたことが検出されるのでので、エンプティセンサ１２８からの信号状態により給紙カセット８２内に記録紙Ｐが残っていないこと（シート無し）を確実に判断できる。
【００６０】
次に、上記のように構成された本実施形態に係る給紙カセット８２の作用について説明する。
【００６１】
本実施形態に係る給紙カセット８２では、ボトムプレート８４に、このボトムプレート８４上に載置される紙束Ｂの両側端部にそれぞれ対応する部分に開口部１６６が穿設されると共に、サイドガイド９４に、幅方向に沿ってボトムプレート８４上に載置された紙束Ｂの外側に配置されたベース部材１０２と、ベース部材１０２から幅方向に沿って内側へ延出するようにベース部材１０２に連結された延長ガイド部材９８が設けられている。更に延長ガイド部材９８には、ベース部材１０２によりボトムプレート８４の上方に支持された延出部１６２と、この延出部１６２の内側の端部から下方へ延出して下端側の挿通片１６８が開口部１６６部内へ挿通するガイドプレート部１６４とが設けられている。これにより、サイドガイド９４のガイドプレート部１６４を幅方向に沿ってベース部材１０２の内側に支持できると共に、ボトムプレート８４がその開口部１６６によりガイドプレート部１６４に干渉することなく昇降方向へ揺動可能になるので、ボトムプレート８４のベース部材１０２の内側の部分よりも幅が狭い記録紙Ｐ（紙束Ｂ）をボトムプレート８４上に載置した場合でも、一対のサイドガイド９４のガイドプレート部１６４を、幅方向に沿ってボトムプレート８４上に載置された紙束Ｂの両側端部にそれぞれ対応する位置へ位置調整し、これら一対のガイドプレート部１６４によりボトムプレート８４上に載置された紙束Ｂを所定のセンター位置へ位置決めすると共に、給紙機構３６のフィードロール３７により搬送される記録紙Ｐが幅方向に沿って変移することを確実に制限できる。
【００６２】
ここで、サイドガイド９４には、延出部１６２及びガイドプレート部１６４がボトムプレート８４のベース部材１０２よりも内側部分の側端から開口部１６６までの部分を跨ぐように設けられ、ガイドプレート部１６４がボトムプレート８４の側端よりも内側に支持されているので、サイドガイド９４をボトムプレート８４の側端より内側へ移動させるために、ボトムプレート８４に側端から内側へ向って切欠部を形成する必要がなくなり、ボトムプレート８４に生じる捻り方向及び撓み方向に沿った強度低下を効果的に抑制できる。
【００６３】
この結果、ボトムプレート８４に撓みや捩れが生じ、ボトムプレート８４上に載置された紙束Ｂのフィードロール３７に対する圧接力が低下したり、紙束Ｂの軸方向にフィードロール３７に対する軸方向に沿った圧接力の分布が不安定になることを抑制できるので、フィードロール３７及びリタードロール３８により定型サイズよりも幅の狭い特殊サイズの記録紙Ｐを紙束Ｂから分離し、給送方向へ給送する際に記録紙Ｐの供給トラブルが発生することを効果的に防止できる。
【００６４】
また、本実施形態の給紙カセット８２では、サイドガイド９４におけるベース部材１０２として、定型サイズの記録紙を収納する給紙カセットにおける従来のサイドガイドをそのまま用いているので、この従来のサイドガイド（ベース部材１０２）に延長ガイド部材９８を取り付ければ、本実施形態に係るサイドガイド９４を構成できる。この結果、本実施形態に係る給紙カセット８２によれば、製造コストの上昇を抑制しつつ、定型サイズよりも幅の狭い特殊サイズの記録紙Ｐからなるシート束を収納できる。
【図面の簡単な説明】
【００６５】
【図１】本発明の実施形態に係る給紙カセットが適用された給紙機構を備えるレーザープリンタの概略構成を示す側面図である。
【図２】本発明の実施形態に係る給紙カセットを幅方向に沿って斜め上方から見た斜視図であり、給紙カセット内に紙束が収納されていない状態を示している。
【図３】図２に示される給紙カセットを幅方向に沿って斜め上方から見た斜視図であり、給紙カセット内に紙束が収納されている状態を示している。
【図４】図２に示される給紙カセットを給紙方向に沿って斜め上方から見た斜視図であり、給紙カセット内に紙束が収納されている状態を示している。
【図５】図２に示される給紙カセットの構成を示す平面図である。
【図６】図２に示される給紙カセットの構成を示す側面断面図であり、給紙カセット内にミドルレンジ状態の紙束が収納されている状態を示している。
【図７】図２に示される給紙カセットの構成を示す側面断面図であり、給紙カセット内にロウレンジ状態の紙束が収納されている状態を示している。り、給紙カセット内に記録紙が収納されている状態を示している。
【図８】図２に示される給紙カセットの構成を示す側面断面図であり、給紙カセット内に紙束が収納されていないエンプティ状態を示している。
【図９】図２に示された給紙カセットに設けられた第１拘束部材及び検出レバーの動作を説明するための断面図であり、（Ａ）は給紙カセット内にミドルレンジ状態の紙束が収納されている状態、（Ｂ）給紙カセット内にロウレンジ状態の紙束が収納されている状態及び（Ｃ）は給紙カセット内に紙束が収納されていないエンプティ状態のときの第１拘束部材及び検出レバーを示している。
【符号の説明】
【００６６】
２１      レーザープリンタ
２２      装置本体
３６      給紙機構（シート供給装置）
３７      フィードロール（分離・給送手段）
３８      リタードロール（分離・給送手段）
８２      給紙カセット
８３      カセット本体
８４      ボトムプレート
９４      サイドガイド
９８      延長ガイド部材
１０２    ベース部材（ベース部）
１１２    ストッパプレート
１１４    ガイド突起（ガイド部）
１６２    延出部
１６４    延出ガイド部
１６６    開口部
１７４    切欠部
１７６    逃げ部
１７８    弾性シート
Ｂ        紙束（シート束）
Ｐ        記録紙（シート）
【図１】
2005263450.tif 000003
【図２】
2005263450.tif 000004
【図３】
2005263450.tif 000005
【図４】
2005263450.tif 000006
【図５】
2005263450.tif 000007
【図６】
2005263450.tif 000008
【図７】
2005263450.tif 000009
【図８】
2005263450.tif 000010
【図９】
2005263450.tif 000011